(57)【要約】【課題】温熱治療器が意図せずに高出力状態とならないようにする。【解決手段】温熱治療器１が、利用者の下に敷かれる本体１０と、本体１０の中に設けられ、供給された電力によってエネルギーを発生させるヒータ線１２と、ヒータ線１２に電力を供給する電源装置２１と、電源装置２１の出力電圧を制御する制御装置２２とを備える。そして、制御装置２２は、押下によって電源装置２１の出力電圧を増加させる温熱増加ボタンが所定の時間の間押下され続けた場合に、電源装置２１の出力電圧を低下させる。【選択図】図１
2012029716.tif 000002
【特許請求の範囲】
【請求項１】
利用者の下に敷かれる本体と、
前記本体の中に設けられ、供給された電力によってエネルギーを発生させる電気線と、
前記電気線に電力を供給する電源装置と、
前記電源装置の出力電圧を制御する制御装置と
を備え、
前記制御装置は、
押下によって前記電源装置の出力を増加させる出力増加ボタンが所定の時間の間押下され続けた場合に、前記電源装置の出力を低下させる出力制限部
を備えることを特徴とする温熱治療器。
【請求項２】
前記電気線は、供給された電力によって熱エネルギーを発生させるヒータ線であることを特徴とする請求項１に記載の温熱治療器。
【請求項３】
前記出力制限部は、前記出力増加ボタンが所定の時間の間押下され続けた場合に、前記電源装置の出力を停止させる
ことを特徴とする請求項１または請求項２に記載の温熱治療器。
【発明の詳細な説明】
【技術分野】
【０００１】
本発明は、電力が供給されることで利用者に温熱効果を与える温熱治療器に関する。
【背景技術】
【０００２】
近年、電力が供給されることにより、利用者に温熱効果や電位効果を与える種々の電気式マットが利用されている（例えば、特許文献１参照）。
特許文献１に記載の電気式マットを初めとする温熱治療器は、出力温度を調節するための制御装置を備えていることが多い。利用者は、当該制御装置を操作することで、温熱治療器の出力温度を所望の温度に調節することができる。
【０００３】
出力温度の制御方法としては、スライダーのつまみ位置に応じた出力温度を温熱治療器に出力させる方法や、ダイヤルの回転量に応じた出力温度を温熱治療器に出力させる方法、温熱増加ボタン・温熱減少ボタンの押下により、出力温度を段階的に変化させる方法などが挙げられる。
なお、スライダーやダイヤルを制御装置に備えると、スライダーの長さやダイヤルの厚みなどにより、制御装置が大型化するため、制御装置を小型化したい場合、ボタン操作による温度制御を用いることが好ましい。
【０００４】
また、制御装置は、ボタンが１度クリックされたときに出力温度を１段階変化させる。しかし、この制御方法では、多段階の変化を望む場合、利用者は、ボタンを複数回連打する必要がある。そこで、通常、制御装置は、ボタンが長押しされたときに、当該ボタンが連続してクリックされた際の動作と同じ動作を行う。これにより、利用者はボタンを長押しすることで、容易に出力温度を多段階変化させることができる。
【先行技術文献】
【特許文献】
【０００５】
【特許文献１】特開２００６−２９６６６８号公報
【発明の概要】
【発明が解決しようとする課題】
【０００６】
しかしながら、制御装置の置き場が悪かったり、制御装置の上に物がのったりすると、意図せずにキーが長押し状態となり、温熱治療器の温度が所望の温度より高くなってしまう惧れがある。利用者の意図しない温度上昇が発生すると、利用者は、温熱治療器が出力する熱を不快に感じることとなる。
【課題を解決するための手段】
【０００７】
本発明は上記の課題を解決するためになされたものであり、利用者の下に敷かれる本体と、前記本体の中に設けられ、供給された電力によってエネルギーを発生させる電気線と、前記電気線に電力を供給する電源装置と、前記電源装置の出力を制御する制御装置とを備え、前記制御装置は、押下によって前記電源装置の出力を増加させる出力増加ボタンが所定の時間の間押下され続けた場合に、前記電源装置の出力電圧を低下させる出力制限部を備えることを特徴とする温熱治療器である。
【０００８】
また、本発明において、前記電気線は、供給された電力によって熱エネルギーを発生させるヒータ線であることを特徴とする。
【０００９】
また、本発明において、前記出力制限部は、前記出力増加ボタンが所定の時間の間押下され続けた場合に、前記電源装置の出力を停止させることを特徴とする。
【発明の効果】
【００１０】
本発明によれば、制御装置の出力制御部は、出力増加ボタンが所定の時間の間押下され続けた場合に、電源装置の出力電圧を低下させる。これにより、温熱治療器が意図せずに高出力状態とならないようにすることができる。
【図面の簡単な説明】
【００１１】
【図１】本発明の一実施形態による温熱治療器の構成図である。
【図２】コントローラの構成を示す概略ブロック図である。
【図３】温熱治療器の動作を示すフローチャートである。
【発明を実施するための形態】
【００１２】
以下、図面を参照しながら本発明の実施形態について詳しく説明する。
図１は、本発明の一実施形態による温熱治療器の構成図である。
温熱治療器１は、利用者に熱エネルギーを加えて種々の治療を施すものである。
温熱治療器１は、矩形シート状の本体１０と、直方体形状のコントローラ２０とを備えている。
コントローラ２０は、電源装置２１、制御装置２２、操作パネル２３を備える。また、コントローラ２０は、ケーブル３０を介して本体１０に接続されている。
電源装置２１は、本体１０及び制御装置２２に電源を供給する。
制御装置２２は、電源装置２１による本体１０への出力電力を制御する。
操作パネル２３は、コントローラ２０の天面に備えられ、本体１０の設定温度の変更の入力を受け付け、制御装置２２に通知する。
【００１３】
本体１０は、袋状に形成されており、その内部には、電位線１１（電気線）、ヒータ線１２（電気線）が設けられている。電位線１１、ヒータ線１２の端子は、それぞれケーブル３０を介してコントローラ２０に接続されている。
すなわち、ケーブル３０の一端は、この一端に設けられた接続部３１を介して本体１０に固定され、ケーブル３０の他端は、この他端に設けられた接続部３２を介してコントローラ２０に着脱可能に接続されている。
電位線１１は、ケーブル３０を介してコントローラ２０から供給された電力によって電界を発生させる。
ヒータ線１２は、ケーブル３０を介してコントローラ２０から供給された電力によって熱エネルギーを発生させる。
【００１４】
次いで、温熱治療器１の作用について説明する。
利用者が、本体１０の上に寝ながら、コントローラ２０を操作して、電源装置２１を起動させる。すると、電源装置２１から発せられる電力がケーブル３０を介して、本体１０に供給される。そして、電位線１１に電界が発生し、またヒータ線１２に熱エネルギーが発生する。これにより、発生した電界による電位及び熱エネルギーが利用者に伝達され、利用者への治療が行われる。なお、利用者が、操作パネル２３を目視しながら操作することにより、熱エネルギーの強弱がリアルタイムに調整され、利用者に適した大きさの熱エネルギーが利用者に伝達される。
【００１５】
次に、コントローラ２０の構成について説明する。
図２は、コントローラの構成を示す概略ブロック図である。
コントローラ２０は、電源装置２１、制御装置２２、操作パネル２３を備える。
電源装置２１は、電源部２１１、電位線電力供給部２１２、ヒータ線電力供給部２１３を備える。
電源部２１１は、ＡＣ電源から本体１０、コントローラ２０を動作させる電力を引き出す。
電位線電力供給部２１２は、電源部２１１から供給される電力をケーブル３０を介して本体１０の電位線１１に供給する。なお、電位線電力供給部２１２は、制御装置２２から電位線１１に出力すべき電圧を示す電圧制御信号を入力し、当該電圧制御信号が示す量の電圧を、本体１０の電位線１１に出力する。
ヒータ線電力供給部２１３は、電源部２１１から供給される電力をケーブル３０を介して本体１０のヒータ線１２に供給する。なお、ヒータ線電力供給部２１３は、制御装置２２からヒータ線１２に出力すべき電圧を示す電圧制御信号を入力し、当該電圧制御信号が示す量の電圧を、本体１０のヒータ線１２に出力する。
【００１６】
制御装置２２は、入力部２２１、入力判定部２２２、タイマ部２２３、電位線電力制御部２２４、ヒータ線電力制御部２２５、出力制限部２２６を備える。
入力部２２１は、操作パネル２３から操作信号を入力し、当該操作信号を入力判定部２２２に出力する。
入力判定部２２２は、入力部２２１から操作信号を入力し、当該操作信号がチャタリングによるノイズであるか否かを判定する。ノイズで無いと判定した場合、入力した操作信号に応じて、当該操作信号を電位線電力制御部２２４、ヒータ線電力制御部２２５に出力する。また、入力判定部２２２は、操作パネル２３からの操作信号の入力が継続している間、タイマ部２２３に当該操作信号を出力し続ける。
タイマ部２２３は、入力判定部２２２が操作信号を入力し続けている時間を計測する。タイマ部２２３は、計測した時間が所定の時間を経過した場合、出力制限部２２６にトリガ信号を出力する。
電位線電力制御部２２４は、入力判定部２２２から、電位増加、または電位減少を示す操作信号を入力すると、当該操作信号に従って、電位線に供給する電圧を増減させる電圧制御信号を電源装置２１に出力する。
ヒータ線電力制御部２２５は、入力判定部２２２から、温熱増加、または温熱減少を示す操作信号を入力すると、当該操作信号に従って、ヒータ線に供給する電圧を増減させる電圧制御信号を電源装置２１に出力する。また、ヒータ線電力制御部２２５は、出力制限部２２６からヒータ線への電力供給の遮断を要求する遮断要求信号を入力すると、電源装置２１に、ヒータ線に供給する電力を遮断させる電圧制御信号を出力する。
出力制限部２２６は、入力判定部２２２が入力している操作信号が温熱増加を示す場合において、タイマ部２２３からトリガ信号を入力したとき、ヒータ線電力制御部２２５に遮断要求信号を出力する。
【００１７】
操作パネル２３は、電源ボタン２３１、電位増加ボタン２３２、電位減少ボタン２３３、温熱増加ボタン２３４、温熱減少ボタン２３５、ディスプレイ２３６を備える。
電源ボタン２３１は、電源装置２１の電源オフ時に押下されることで、電源装置２１に電源を投入する。また、電源ボタン２３１は、電源装置２１の電源オン時に押下されることで、電源装置２１の電源を遮断する。
電位増加ボタン２３２は、押下されることで、制御装置２２に電位増加を示す操作信号を出力する。
電位減少ボタン２３３は、押下されることで、制御装置２２に電位減少を示す操作信号を出力する。
温熱増加ボタン２３４（出力増加ボタン）は、押下されることで、制御装置２２に温熱増加を示す操作信号を出力する。
温熱減少ボタン２３５は、押下されることで、制御装置２２に温熱減少を示す操作信号を出力する。
ディスプレイ２３７は、各種ボタンの押下に応じて、現在の温熱治療器１の状態を示す画面を表示する。
【００１８】
次に、温熱治療器１の動作を説明する。
図３は、温熱治療器の動作を示すフローチャートである。
ユーザが、コントローラ２０の操作パネル２３の電源ボタン２３１を押下すると、電源装置２１の電源部２１１がＡＣ電源から電力を引き出し、本体１０及びコントローラ２０に電力を供給する。
制御装置２２の入力判定部２２２は、操作パネル２３の各ボタン２３２〜２３５の押下によって発生する操作信号の入力の有無を判定する（ステップＳ１）。入力判定部２２２は、入力部２２１を介して操作信号を入力すると（ステップＳ１：ＹＥＳ）、当該操作信号の有無を８．９１２ミリ秒ごとに検出し、当該操作信号が６０ミリ秒以上続いたか否かを判定することで、当該操作信号の入力が、チャタリングによるノイズであるか否かを判定する（ステップＳ２）。
【００１９】
入力判定部２２２は、操作信号の入力が６０ミリ秒以上続かなかったと判定した場合、当該操作信号の入力がチャタリングによるノイズであると判定し（ステップＳ２：ＹＥＳ）、ステップＳ１に戻り、再度操作信号の入力を待機する。
他方、入力判定部２２２は、操作信号の入力が６０ミリ秒以上続いたと判定した場合、ユーザによるボタン操作であると判定し（ステップＳ２：ＮＯ）、タイマ部２２３が時間の計測を行っているか否かを判定する（ステップＳ３）。これにより。入力判定部２２２は、操作パネル２３の何れかのボタンが押下中であったか否かを判定する。
【００２０】
入力判定部２２２は、タイマ部２２３が時間の計測を行っていないと判定した場合（ステップＳ３：ＮＯ）、タイマ部２２３を起動させ、タイマ部２２３は、現在の時刻からの経過時間の計測を開始する（ステップＳ４）。次に、制御装置２２は、入力判定部２２２が入力した操作信号に応じた制御処理を実行し、電源装置２１に電圧制御信号の出力を行う（ステップＳ５）。具体的には、以下の処理を行う。
【００２１】
入力判定部２２２が入力した操作信号が「電位増加」を示す場合、入力判定部２２２は、電源装置２１が電位線１１に現在出力している電圧が、所定の最大出力電圧量（例えば、８００Ｖ）であるか否かを判定する。現在の電圧が最大供給電圧量であった場合、入力判定部２２２は、操作信号を出力せずに処理を終了する。他方、現在の電圧が最大供給電圧量未満であった場合、入力判定部２２２は、電位線電力制御部２２４に電位増加を示す操作信号を出力する。次に、電位線電力制御部２２４は、電源装置２１が電位線１１に現在出力している電圧に、予め定められた１段階分の電圧（例えば、５０Ｖ）を加算した電圧を、電位線１１に出力させる電圧制御信号を電源装置２１の電位線電力供給部２１２に出力する。
入力判定部２２２が入力した操作信号が「電位減少」を示す場合、入力判定部は、電源装置２１が電位線１１に現在出力している電圧が、所定の最小出力電圧量（例えば、２００Ｖ）であるか否かを判定する。現在の電圧が最小供給電圧量であった場合、入力判定部２２２は、操作信号を出力せずに処理を終了する。他方、現在の電圧が最小供給電圧量より大きい場合、入力判定部２２２は、電位線電力制御部２２４に電位減少を示す操作信号を出力する。次に、電位線電力制御部２２４は、電源装置２１が電位線１１に現在出力している電圧に、予め定められた１段階分の電圧を減少した電圧を、電位線１１に出力させる電圧制御信号を電源装置２１の電位線電力供給部２１２に出力する。
なお、入力判定部２２２が入力した操作信号が「電熱増加」を示す場合、「電熱減少」を示す場合も、入力判定部２２２が入力した操作信号が「電位増加」を示す場合、「電位減少」を示す場合と同様の処理により、電圧制御信号を電源装置２１のヒータ線電力供給部２１３に出力する。
【００２２】
他方、入力判定部２２２が、タイマ部２２３が時間の計測を行っていると判定した場合（ステップＳ３：ＹＥＳ）、タイマ部２２３は、計測している時間が３０秒を経過したか否かを判定する（ステップＳ６）。これにより、タイマ部２２３は、操作パネル２３の何れかのボタンが長時間押下されたままになっているか否かを判定する。タイマ部２２３が、計測時間が３０秒以内であると判定した場合（ステップＳ６：ＮＯ）、制御装置２２は、入力判定部２２２が入力した操作信号に応じた制御処理を実行し、電源装置２１に電圧制御信号の出力を行う（ステップＳ５）。
【００２３】
他方、タイマ部２２３が、計測時間が３０秒を経過していると判定した場合（ステップＳ６：ＹＥＳ）、タイマ部２２３は、出力制限部２２６にトリガ信号を出力する。出力制御部２２６は、タイマ部２２３からトリガ信号を入力すると、入力判定部２２２が入力している操作信号が温熱増加を示すものであるか否かを判定する（ステップＳ７）。出力制御部２２６が、操作信号が温熱増加を示すものでないと判定した場合（ステップＳ７：ＮＯ）、制御装置２２は、入力判定部２２２が入力した操作信号に応じた制御処理を実行し、電源装置２１に電圧制御信号の出力を行う（ステップＳ５）。
【００２４】
他方、出力制御部２２６が、操作信号が温熱増加を示すものであると判定した場合（ステップＳ７：ＹＥＳ）、出力制御部２２６は、温熱増加ボタン２３４が意図せずに押下されたままになっていると判定し、ヒータ線電力制御部２２５に、ヒータ線への電力供給の遮断を要求する遮断要求信号を出力する（ステップＳ８）。これにより、ヒータ線電力制御部２２５は、電源装置２１のヒータ線電力供給部２１３にヒータ線に供給する電力を遮断させる電圧制御信号を出力し、ヒータ線電力供給部２１３は、ヒータ線に供給する電力を遮断する。また、制御装置２２は、以降操作パネル２３による電源ボタン２３１以外の各ボタン２３２〜２３５の操作を受け付けない。これにより、温熱治療器１は、意図せずにヒータ線への出力が高くなることを防止することができる。
【００２５】
ステップＳ５で制御装置２２が制御処理を行った場合、または、ステップＳ８でヒータ線電力制御部２２５が遮断要求信号を出力した場合、コントローラ２０は、利用者によるって電源ボタン２３１が押下されたか否かを判定する（ステップＳ９）。コントローラ２０は、電源ボタン２３１が押下されていないと判定した場合（ステップＳ９：ＮＯ）、ステップＳ１に戻り、操作信号の入力を待機する。他方、コントローラ２０が、電源ボタン２３１が押下されたと判定した場合（ステップＳ９：ＹＥＳ）、電源部２１１は、ＡＣ電源からの電力供給を遮断し、本体１０、コントローラ２０への電力供給を終了する。
【００２６】
また、入力判定部２２２が、ステップＳ１で操作信号の入力がないと判定した場合（ステップＳ１：ＮＯ）、タイマ部２２３は、時間の計測を停止し、入力判定部２２２による操作信号の入力を待機する（ステップＳ１０）。
このように、本実施形態によれば、制御装置２２の出力制御部２２６は、温熱増加ボタン２３４が所定の時間の間押下され続けた場合に、電源装置２１の出力電圧を低下させる。これにより、温熱治療器１が意図せずに高出力状態とならないようにすることができる。
【００２７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、ヒータ線１２に供給する電圧を増加させる温熱増加ボタン２３４が所定の時間の間押下され続けた場合に、ヒータ線１２に供給される電力を遮断する場合を説明したが、これに限られない。
例えば、ヒータ線１２に供給する電圧を増加させる温熱増加ボタン２３４が所定の時間の間押下され続けた場合に、電力を遮断せず、最小の電力による出力を継続するようにしても良い。
また、ヒータ線１２に限られず、電位線１１に供給する電圧を増加させる電位増加ボタン２３２が所定の時間の間押下され続けた場合に、電位線１１に供給される電力を遮断するようにしても良い。
【００２８】
また、本実施形態では、電源装置２１の出力電圧を制御することでヒータ線１２の熱エネルギーを制御する場合を説明したが、これに限られない。例えば、入力する電気の周波数によって出力する熱エネルギーが変化するヒータ線１２を用い、電源装置２１の出力周波数を制御することでヒータ線１２の熱エネルギーを制御するようにしても良い。この場合、温熱増加ボタン２３４を押下すると、電源装置２１がヒータ線１２に出力する電気の周波数が増加し、温熱減少ボタン２３５を押下すると電源装置２１がヒータ線１２に出力する電気の周波数が減少する。また、この場合、出力制限部２２６は、温熱増加ボタン２３４が所定の時間の間押下され続けた場合、ヒータ線１２に供給される電力を遮断、または供給する周波数を低下させることとなる。
【００２９】
また、本実施形態では、温熱治療器１が電位線１１とヒータ線１２とを備える場合を説明したが、これに限られず、例えば、さらに磁気コイルを備えるものであっても良いし、逆にヒータ線１２のみを備えるものであっても良い。
【００３０】
また、本実施形態では、温熱治療器１が本体１０とコントローラ２０とを別個に備える場合を説明したが、これに限られず、温熱治療器１を構成するそれぞれの装置が一体となっていても良い。
【００３１】
なお、本実施形態では、制御装置２２の入力判定部２２２が操作信号の有無を８．９１２ミリ秒ごとに検出し、また操作信号が６０ミリ秒以上続いたか否かを判定することでチャタリングによるノイズであるか否かを判定する場合を説明したが、これに限られない。また、本実施形態では、タイマ部２２３が操作信号の入力が３０秒間継続した場合にトリガ信号を出力する場合を説明したが、これに限られない。
【００３２】
上述の制御装置２２は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３４】
１…温熱治療器  １０…本体  １１…電位線  １２…ヒータ線  ２０…コントローラ  ２１…電源装置  ２２…制御装置  ２３…操作パネル  ３０…ケーブル  ３１、３２…接続部  ２１１…電源部  ２１２…電位線電力供給部  ２１３…ヒータ線電力供給部  ２２１…入力部  ２２２…入力判定部  ２２３…タイマ部  ２２４…電位線電力制御部  ２２５…ヒータ線電力制御部  ２２６…出力制限部  ２３１…電源ボタン  ２３２…電位増加ボタン  ２３３…電位減少ボタン  ２３４…温熱増加ボタン  ２３５…温熱減少ボタン  ２３６…ディスプレイ
【図１】
2012029716.tif 000003
【図２】
2012029716.tif 000004
【図３】
2012029716.tif 000005